(57)【要約】      （修正有）【課題】加熱調理器の操作に要する手数を減らすことができ、使用者の操作負担を軽減できる加熱調理器を提供する。【解決手段】加熱調理器１００は、調理台２００と一体となる加熱調理器であって、調理容器が載置されるトッププレート１０と、トッププレートの下方に配置された加熱部と、加熱調理器の動作を制御する制御部と、調理台の内部から引き出し又は内部へ収納自在に構成され、制御部に操作指令を与える操作ユニット４，５と、操作ユニットが調理台の内部に収納されたか否かを検知する操作ユニット検知手段と、を備えている。操作ユニットは、１つ又は複数で構成されている。制御部は、操作ユニット検知手段の検知に基づいて、いずれかの操作ユニットが調理台の内部に収納された状態から引き出されたと判断すると、加熱調理器の電源をオフからオンに切り換える。【選択図】図１
2020009580.tif 000002
【特許請求の範囲】
【請求項１】
調理台と一体となる加熱調理器であって、
調理容器が載置されるトッププレートと、
前記トッププレートの下方に配置された加熱部と、
前記加熱調理器の動作を制御する制御部と、
前記調理台の内部から引き出し又は内部へ収納自在に構成され、前記制御部に操作指令を与える操作ユニットと、
前記操作ユニットが前記調理台の内部に収納されたか否かを検知する操作ユニット検知手段と、を備え、
前記操作ユニットは、１つ又は複数で構成されており、
前記制御部は、前記操作ユニット検知手段の検知に基づいて、いずれかの前記操作ユニットが前記調理台の内部に収納された状態から引き出された判断すると、前記加熱調理器の電源をオフからオンに切り換える、加熱調理器。
【請求項２】
調理台と一体となる加熱調理器であって、
調理容器が載置されるトッププレートと、
前記トッププレートの下方に配置された加熱部と、
前記加熱調理器の動作を制御する制御部と、
前記調理台の内部から引き出し又は内部へ収納自在に構成され、前記制御部に操作指令を与える操作ユニットと、
前記操作ユニットが前記調理台の内部に収納されたか否かを検知する操作ユニット検知手段と、を備え、
前記操作ユニットは、１つ又は複数で構成されており、
前記制御部は、前記操作ユニット検知手段の検知に基づいて、いずれかの前記操作ユニットが前記調理台から引き出された状態から内部に収納されたと判断すると、前記加熱調理器の電源をオンからオフに切り換える、加熱調理器。
【請求項３】
前記制御部は、前記操作ユニット検知手段の検知に基づいて、すべての前記操作ユニットが前記調理台から引き出された状態から内部に収納されたと判断すると、前記加熱調理器の電源をオンからオフに切り換える、請求項２に記載の加熱調理器。
【請求項４】
加熱調理器の電源をオン又はオフに手動で切り換える電源スイッチが、少なくとも１つの前記操作ユニットに隣接させて設けられている、請求項１〜３のいずれか一項に記載の加熱調理器。
【請求項５】
加熱調理器の電源をオン又はオフに手動で切り換える電源スイッチが、少なくとも１つの前記操作ユニットに設けられている、請求項１〜４のいずれか一項に記載の加熱調理器。
【請求項６】
前記トッププレートには、第１表示部が設けられており、
前記制御部は、前記加熱調理器の電源のオン又はオフを第１表示部に表示させる、請求項１〜５のいずれか一項に記載の加熱調理器。
【請求項７】
前記トッププレートの温度を検知する温度検知手段を、更に備え、
前記制御部は、前記温度検知手段が検知した検知値に基づいて、前記第１表示部に前記トッププレートの温度状態を表示させる、請求項６に記載の加熱調理器。
【請求項８】
少なくとも１つの前記操作ユニットには、第２表示部が設けられており、
前記制御部は、前記加熱調理器の電源のオン又はオフを前記第２表示部に表示させる、請求項１〜７のいずれか一項に記載の加熱調理器。
【発明の詳細な説明】
【技術分野】
【０００１】
本発明は、調理台の内部から引き出し又は収納自在に構成された操作部を備えた加熱調理器に関するものである。
【背景技術】
【０００２】
従来、調理台の内部に格納されて、調理台と一体とされた加熱調理器が知られている。例えば特許文献１に開示された加熱調理器には、キッチン側のキッチン天面の手前とリビング側のキッチン天面の手前のそれぞれに、操作ユニットを設けた構成が開示されている。操作ユニットは、加熱調理器の電源スイッチ及び加熱調理を行う各種操作ボタン等を備えており、加熱調理器の動作を制御する制御部に操作指令を与えるものである。この操作ユニットは、キッチンキャビネットの内部から引き出し、又は内部に収納自在に構成されている。
【先行技術文献】
【特許文献】
【０００３】
【特許文献１】特開２００９−２７７５２０号公報
【発明の概要】
【発明が解決しようとする課題】
【０００４】
特許文献１に開示された加熱調理器では、使用する際に操作ユニットをキャビネットの内部から引き出す作業を要する。そして、操作ユニットに設けられた電源を押して加熱調理器を駆動させ、各種操作ボタンを押して加熱調理を行う。使用後には、電源を押して加熱調理器の駆動を停止させて、操作ユニットを再びキャビネットの内部に収納する作業を要する。つまり、特許文献１の加熱調理器では、使用する際に多くの手数を要するため、使用者の操作負担が大きいものとなっている。操作に要する手数を１つでも減らすことができれば、使用者の操作負担が軽減され、快適に調理を行うことができる。
【０００５】
本発明は、上記のような課題を解決するためになされたもので、加熱調理器の操作に要する手数を減らすことができ、使用者の操作負担を軽減できる加熱調理器を提供することを目的とする。
【課題を解決するための手段】
【０００６】
本発明に係る加熱調理器は、調理台と一体となる加熱調理器であって、調理容器が載置されるトッププレートと、前記トッププレートの下方に配置された加熱部と、前記加熱調理器の動作を制御する制御部と、前記調理台の内部から引き出し又は内部へ収納自在に構成され、前記制御部に操作指令を与える操作ユニットと、前記操作ユニットが前記調理台の内部に収納されたか否かを検知する操作ユニット検知手段と、を備え、前記操作ユニットは、１つ又は複数で構成されており、前記制御部は、前記操作ユニット検知手段の検知に基づいて、いずれかの前記操作ユニットが前記調理台の内部に収納された状態から引き出された判断すると、前記加熱調理器の電源をオフからオンに切り換えるものである。
【０００７】
また、本発明に係る加熱調理器は、調理台と一体となる加熱調理器であって、調理容器が載置されるトッププレートと、前記トッププレートの下方に配置された加熱部と、前記加熱調理器の動作を制御する制御部と、前記調理台の内部から引き出し又は内部へ収納自在に構成され、前記制御部に操作指令を与える操作ユニットと、前記操作ユニットが前記調理台の内部に収納されたか否かを検知する操作ユニット検知手段と、を備え、前記操作ユニットは、１つ又は複数で構成されており、前記制御部は、前記操作ユニット検知手段の検知に基づいて、いずれかの前記操作ユニットが前記調理台から引き出された状態から内部に収納されたと判断すると、前記加熱調理器の電源をオンからオフに切り換えるものである。
【発明の効果】
【０００８】
本発明に係る加熱調理器によれば、操作ユニットが調理台の内部に収納された状態から引き出されると加熱調理器の電源がオフからオンに切り換えられる構成なので、加熱調理器の操作に要する手数を減らすことができ、使用者の操作負担を軽減することができる。
【０００９】
また、本発明に係る加熱調理器によれば、操作ユニットが調理台から引き出された状態から内部に収納されると加熱調理器の電源がオンからオフに切り換えられる構成なので、加熱調理器の操作に要する手数を減らすことができ、使用者の操作負担を軽減することができる。
【図面の簡単な説明】
【００１０】
【図１】本発明の実施の形態に係る加熱調理器であって操作ユニットを調理台の内部から引き出した状態を示した外観斜視図である。
【図２】本発明の実施の形態に係る加熱調理器であって操作ユニットを調理台の内部へ収納した状態を示した外観斜視図である。
【図３】本発明の実施の形態に係る加熱調理器であって操作ユニットを調理台の内部から引き出した状態を示した平面図である。
【図４】本発明の実施の形態に係る加熱調理器の内部構造を示した要部断面図である。
【図５】本発明の実施の形態に係る加熱調理器の主要部の概略構成図である。
【図６】本発明の実施の形態に係る加熱調理器の操作ユニットを示した説明図である。
【図７】本発明の実施の形態に係る加熱調理器であって、操作ユニットに電源スイッチを設けた構成を示した説明図である。
【発明を実施するための形態】
【００１１】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１２】
実施の形態１．
図１は、本発明の実施の形態に係る加熱調理器であって操作ユニットを調理台の内部から引き出した状態を示した外観斜視図である。図２は、本発明の実施の形態に係る加熱調理器であって操作ユニットを調理台の内部へ収納した状態を示した外観斜視図である。図３は、本発明の実施の形態に係る加熱調理器であって操作ユニットを調理台の内部から引き出した状態を示した平面図である。図４は、本発明の実施の形態に係る加熱調理器の内部構造を示した要部断面図である。図５は、本発明の実施の形態に係る加熱調理器の主要部の概略構成図である。
【００１３】
実施の形態１に係る加熱調理器１００は、加熱源である誘導加熱コイルに高周波電流を流すことによって生じる高周波磁束で渦電流を誘起し、それによって発生するジュール熱で被加熱物の加熱を行う誘導加熱調理器である。この加熱調理器１００は、図１及び図２に示すように、例えば壁から離れた場所に島のようにシンク２０１及びキッチン天面２０２が配置されたアイランドキッチンと称される調理台２００の内部に格納されており、該調理台２００と一体となっている。調理台２００が設置された空間では、調理台２００を挟んでキッチン側Ａとリビング側Ｂとで構成される。このような調理台２００は、加熱調理を行いながら周囲を食卓として利用することもできるし、加熱調理を行わないときに加熱調理器１００の上面を食卓して使用することもできる。なお、加熱調理器１００は、調理台２００の内部に格納された構成に限定されるものではなく、例えば調理台２００に連結されたテーブル状の台又は食卓に格納される場合もある。
【００１４】
実施の形態１に係る加熱調理器１００は、図１〜図５に示すように、本体ケース１と、調理容器１０１が載置されるトッププレート１０と、トッププレート１０の下方に配置された加熱部２ａ〜２ｃと、加熱調理器１００の動作を制御する制御部３と、制御部３に操作指令を与える操作ユニット４及び５と、を備えている。
【００１５】
本体ケース１は、上部が開口した箱形状で構成され、調理台２００の内部に格納されている。本体ケース１の上面には、上面開口を覆うトッププレート１０が設けられている。なお、図示することは省略したが、本体ケース１には、本体ケース１内の部品を冷却するための冷却風を吸込み或いは排出する開口部が形成されている。
【００１６】
トッププレート１０は、平板形状に形成された例えば耐熱性ガラス又はセラミック等の非金属材料で構成されている。トッププレート１０は、上面がキッチン天面２０２と略同一面となるように設けられている。トッププレート１０の上面には、調理容器１０１の載置位置を示す載置位置表示部１０ａ〜１０ｃが印刷等により表示されている。これらの載置位置表示部１０ａ〜１０ｃの下方には、加熱手段である加熱部２ａ〜２ｃが対向して配置されている。なお、載置位置表示部１０ａ〜１０ｃは、印刷等による表示に限らず、例えば電源９を入れると光って載置位置を表示する構成でもよい。
【００１７】
また、図３に示すように、トッププレート１０には、加熱調理器１００の電源９のオン又はオフを表示したり、或いはトッププレート１０の温度状態を表示したりする第１表示部１１ａ〜１１ｃが設けられている。第１表示部１１ａ〜１１ｃは、例えばＬＥＤ等で構成され、キッチン側Ａとリビング側Ｂのそれぞれにおいて、加熱部２ａ〜２ｃに対応させて設けられている。なお、第１表示部１１ａ〜１１ｃは、加熱調理器１００の電源９のオン又はオフを表示する表示部と、トッププレート１０の温度状態を表示する表示部とを分けた構成としてもよい。
【００１８】
加熱部２ａ〜２ｃは、本体ケース１の内部に配置された例えば３つの加熱コイルからなり、これらの加熱コイルの電力を制御する制御基板３０によって制御される。なお、加熱源として３つの加熱コイルを用いているが、すべてを加熱コイルとする必要は無く、例えば、載置位置表示部１０ａ〜１０ｃの下方にラジエントヒーターを設置しても良い。また、加熱部２ａ〜２ｃは、加熱コイルを３つ設けた構成を示しているが、１以上あればよい。
【００１９】
なお、詳細に図示することは省略したが、本体ケース１の内部には、加熱部２ａ〜２ｃを冷却する冷却装置１２が設けられている。冷却装置１２は、例えば冷却ファンで構成され、加熱部２ａ〜２ｃごとに設けられている。冷却装置１２は、加熱部２ａ〜２ｃ及び高周波インバータ回路１３などを冷却する。なお、冷却装置１２は、複数設けることに限らず、１つでもよい。
【００２０】
制御部３は、例えば制御基板３０に実装されたマイコン又はＣＰＵのような演算装置と、その上で実行されるソフトウェアとにより構成されている。なお、制御部３は、その機能を実現する回路デバイスのようなハードウェアにより構成されてもよい。制御部３は、図５に示すように、操作ユニット４及び５から出力される操作信号に基づいて、加熱部２ａ〜２ｃの加熱制御を行うとともに、冷却装置１２の動作制御を行う。制御部３は、操作ユニット４及び５により指示された火力が入力されると、その火力に応じて設定された電力と高周波インバータ回路１３の出力電力とがほぼ同一となるように駆動信号を生成し、その駆動信号により高周波インバータ回路１３を駆動し、高周波電流を加熱部２ａ〜２ｃに供給する。
【００２１】
操作ユニット４及び５は、加熱部２ａ〜２ｃの動作に関する入力操作を受け付けるものである。操作ユニット４及び５は、キッチン側Ａの操作ユニット４とリビング側Ｂの操作ユニット５とで構成されている。操作ユニット４及び５は、図１、図２及び図４に示すように、調理台２００の内部から引き出し又は内部へ収納自在に構成されている。具体的には、調理台２００の内部には、操作ユニット４及び５を収納させる収納スペースが設けられている。操作ユニット４及び５は、固定レールに対して可動レールをスライド自在としたスライドレールから成るスライド機構によって、調理台２００の内部から引き出し又は内部へ収納自在に構成されている。また、操作ユニット４及び５は、スライド機構に加えて、公知のプッシュ式を採用してもよい。つまり、調理台２００の内部に収納された操作ユニット４及び５を押し込むと、操作ユニット４及び５が手前に飛び出す。調理台２００から引き出された操作ユニット４及び５を、調理台２００の内部に押し込むと固定される。なお、上記構成は一例であって、操作ユニット４及び５を、調理台２００の内部から引き出し又は内部へ収納自在に構成することができれば、他の形態でもよい。
【００２２】
図６は、本発明の実施の形態に係る加熱調理器の操作ユニットを示した説明図である。図６に示すように、キッチン側Ａの操作ユニット４は、一例として、左操作部４Ａ、中央操作部４Ｂ及び右操作部４Ｃで構成されており、区画ライン４８によって各操作部４Ａ〜４Ｃが仕切られている。左操作部４Ａ、中央操作部４Ｂ及び右操作部４Ｃは、同一の構成である。各操作部４Ａ〜４Ｃは、例えばタイマーを設定するタイマー設定ボタン４０、火力を設定する火力設定ボタン４１、揚げ物、煮物などの調理に応じた加熱モードを設定したり、保温又は予熱等を設定したりメニューボタン４２、加熱部２ａ〜２ｃを停止又は開始させる加熱停止開始ボタン４３が設けられている。また、各操作部４Ａ〜４Ｃは、タイマー設定ボタン４０の設定で設定された時間を表示するタイマー時間表示部４４と、火力設定ボタン４１で設定した火力を表示する火力表示部４５と、メニューボタン４２で選択されたメニューを表示するメニュー表示部４６とが設けられている。なお、操作ユニット４は、図示した構成に限定されず、例えば左操作部４Ａ、中央操作部４Ｂ及び右操作部４Ｃを１つの操作部で構成してもよいし、２以上でもよい。また、各操作部４Ａ〜４Ｃは、図示した構成に限定されず、加熱調理器１００の用途に応じて、種々の態様で実施するものとする。
【００２３】
また、操作ユニット４及び５には、加熱調理器１００の電源９のオン又はオフを表示する第２表示部４７が設けられている。第２表示部４７は、例えばＬＥＤ等で構成されている。第２表示部４７は、キッチン側Ａの操作ユニット４とリビング側Ｂに操作ユニット５とに設けることが好ましいが、どちらか一方にのみ設けてもよい。制御部３は、加熱調理器１００の電源９のオン又はオフを第２表示部４７に表示させる制御を行う。なお、第２表示部４７を設けることなく、第１表示部１１ａ〜１１ｃのみで加熱調理器１００の電源９のオン又はオフを表示してもよい。或いは、第１表示部１１ａ〜１１ｃを設けることなく、第２表示部４７のみで加熱調理器１００の電源９のオン又はオフを表示してもよい。
【００２４】
リビング側Ｂの操作ユニット５も、一例として、左操作部５Ａ、中央操作部５Ｂ及び右操作部５Ｃで構成されている。左操作部５Ａ、中央操作部５Ｂ及び右操作部５Ｃは、同一の構成である。各操作部５Ａ〜５Ｃの構成は、上記したキッチン側Ａの各操作部４Ａ〜４Ｃと同じである。
【００２５】
操作ユニット検知手段６は、図４及び図５に示すように、例えばセンサ又はボタン等で構成されており、操作ユニット４及び５が調理台２００の内部に収納されたか否かを検知する。操作ユニット検知手段６は、図４に示すように操作ユニット４及び５に内蔵させてもよいし、図示することは省略したが、調理台２００の内部又は外部に設けてもよい。要するに、操作ユニット検知手段６は、操作ユニット４及び５が調理台２００の内部に収納されたか否かを検知することができれば、どのような構成であってもよい。
【００２６】
また、図５に示すように、加熱調理器１００は、トッププレート１０の温度を検知する温度検知手段７を備えている。温度検知手段７は、例えばサーミスタ（温度センサ）で構成され、トッププレート１０の裏面に密着するように設置されている。温度検知手段７が検知した検知値は、制御部３に入力される。なお、温度検知手段７を設ける位置は、トッププレート１０の裏面に限定されず、他の位置でもよい。また、温度検知手段７は、サーミスタに限定するものではなく、赤外線センサ等でもよい。
【００２７】
また、図１及び図２に示すように、加熱調理器１００の電源９をオン又はオフに手動で切り換える電源スイッチ８が、調理台２００の側面であって、キッチン側Ａの操作ユニット４とリビング側Ｂの操作ユニット５とにそれぞれ隣接させて設けられている。制御部３は、電源スイッチ８が押されると、電源９をオン又はオフに切り換える。電源スイッチ８は、例えば操作ユニット４又は５を調理台２００から引き出したままの状態で電源９をオフにしたい場合、或いは操作ユニット４及び５を調理台２００の内部に収納した状態で電源９をオンにしたい場合等に対応させるものであり、加熱調理器１００の使い勝手を考慮して設けられている。なお、電源スイッチ８は、キッチン側Ａの操作ユニット４とリビング側Ｂの操作ユニット５の一方にのみ隣接させて設けてもよい。
【００２８】
なお、図７は、本発明の実施の形態に係る加熱調理器であって、操作ユニットに電源スイッチを設けた構成を示した説明図である。図７に示すように、加熱調理器１００の電源９をオン又はオフに手動で切り換える電源スイッチ８は、キッチン側Ａの操作ユニット４とリビング側Ｂの操作ユニット５とにそれぞれ設けてもよい。操作ユニット４及び５の各種操作ボタンと一緒に設けることで、使い勝手が良く、操作性を向上させることができる。また、電源スイッチ８に誤ってぶつかるなどして、加熱調理器１００を誤操作してしまうおそれもなく、安全に安心して使用することができる。なお、電源スイッチ８は、操作ユニット４及び５に隣接させて設けた構成と、操作ユニット４及び５に設けた構成とをそれぞれ独立させて示したが、両者を組み合わせてもよい。
【００２９】
ところで、従来の加熱調理器では、加熱調理器の操作に要する手数が多く、使用者にとって負担の大きいものとなっていた。操作に要する手数を１つでも減らすことができれば、使用者の操作負担が軽減され、快適に調理を行うことができる。
【００３０】
そこで、実施の形態１の加熱調理器１００では、加熱調理器１００の操作に要する手数を減らすために、操作ユニット検知手段６の検知に基づいて、操作ユニット４及び５のうちいずれかの操作ユニット４又は５が調理台２００の内部に収納された状態から引き出されたと制御部３が判断すると、当該制御部３が加熱調理器１００の電源９をオフからオンに切り換える制御を行うこととしている。
【００３１】
具体的には、キッチン側Ａの操作ユニット４と、リビング側Ｂの操作ユニット５とが共に調理台２００の内部に収納された状態で、且つ加熱調理器１００の電源９がオフの状態において、どちらか一方の操作ユニット４又は５が調理台２００から引き出されると、加熱調理器１００の電源９がオンになる。また、キッチン側Ａの操作ユニット４とリビング側Ｂの操作ユニット５とが共に調理台２００の内部に収納された状態で、且つ加熱調理器１００の電源９がオンの状態では、どちらか一方の操作ユニット４又は５が引き出されても、加熱調理器１００の電源９がオンのままである。
【００３２】
一方、キッチン側Ａの操作ユニット４とリビング側Ｂの操作ユニット５のうち、どちらか一方が調理台２００の内部に収納され、他方が調理台２００から引き出された状態であり、且つ加熱調理器１００の電源９がオフの状態において、一方の操作ユニット４又は５が調理台２００から引き出されると、加熱調理器１００の電源９がオンになる。また、キッチン側Ａの操作ユニット４とリビング側Ｂの操作ユニット５のうち、どちらか一方が調理台２００の内部に収納され、他方が調理台２００から引き出された状態であり、且つ加熱調理器１００の電源９がオンの状態において、一方の操作ユニット４又は５が調理台２００から引き出されても、加熱調理器１００の電源９はオンのままである。
【００３３】
また、制御部３は、温度検知手段７が検知した検知値に基づいて、第１表示部１１ａ〜１１ｃにトッププレート１０の温度状態を表示させる。具体的には、第１表示部１１ａ〜１１ｃは、電源９がオンで低温の場合は青色で表示し、電源９がオンで高温の場合は赤色で表示する。また、第１表示部１１ａ〜１１ｃは、電源９がオフで高温の場合は赤色の点滅で表示し、電源９がオフで低温の場合は消灯する。また、第１表示部１１ａ〜１１ｃは、トッププレート１０の載置位置表示部１０ａ〜１０ｃの温度状態によって、各々の表示を変えてもよい。例えば電源９がオンのときに、載置位置表示部１０ａのみ高温の場合は、第１表示部１１ａのみ赤色で表示し、第１表示部１１ｂ及び１１ｃは青色で表示する。なお、上記した温度状態を表示する方法は、一例であって他の表示方法でもよい。
【００３４】
以上のように、実施の形態１に係る加熱調理器１００では、調理容器１０１が載置されるトッププレート１０と、トッププレート１０の下方に配置された加熱部２ａ〜２ｃと、加熱調理器１００の動作を制御する制御部３と、調理台２００の内部から引き出し又は内部へ収納自在に構成され、制御部３に操作指令を与える操作ユニット４及び５と、操作ユニット４及び５が調理台２００の内部に収納されたか否かを検知する操作ユニット検知手段６と、を備えている。操作ユニット４及び５は、１つ又は複数で構成されている。制御部３は、操作ユニット検知手段６の検知に基づいて、いずれかの操作ユニット４及び５が調理台２００の内部に収納された状態から引き出された判断すると、加熱調理器１００の電源９をオフからオンに切り換える制御を行う。よって、加熱調理器１００は、使用者が調理を行う際に、電源９をオンにする手間を省くことができ、操作に要する手数を減らすことができるので、使用者の操作負担を軽減することができ、快適に調理を行うことができる。
【００３５】
また、実施の形態１に係る加熱調理器１００は、加熱調理器１００の電源９をオン又はオフに手動で切り換える電源スイッチ８が、少なくとも１つの操作ユニット４及び５に隣接させて設けられている。よって、例えば操作ユニット４又は５を調理台２００から引き出したままの状態で電源９をオフにしたい場合、或いは操作ユニット４及び５を調理台２００の内部に収納した状態で電源９をオンにしたい場合等に対応させることができ、加熱調理器１００の使い勝手を向上させることができる。
【００３６】
また、実施の形態１に係る加熱調理器１００は、加熱調理器１００の電源９をオン又はオフに手動で切り換える電源スイッチ８が、少なくとも１つの操作ユニット４及び５に設けられている。つまり、電源スイッチ８を操作ユニット４及び５の操作ボタンと一緒に設けることで、使い勝手が良く、操作性を向上させることができる。また、電源スイッチ８に誤ってぶつかるなどして、加熱調理器１００を誤操作してしまうおそれもなく、安全に安心して使用することができる。
【００３７】
また、実施の形態１におけるトッププレート１０には、第１表示部１１ａ〜１１ｃが設けられている。そして、制御部３は、加熱調理器１００の電源９のオン又はオフを第１表示部１１ａ〜１１ｃに表示させる。よって、加熱調理器１００は、加熱調理器１００の電源９がオンであるか、又はオフであるかを使用者に瞬時に確認させることができるので、安全に安心して使用することができ、使い勝手にも優れている。
【００３８】
また、実施の形態１に係る加熱調理器１００は、トッププレート１０の温度を検知する温度検知手段７を、更に備えている。制御部３は、温度検知手段７が検知した検知値に基づいて、第１表示部１１ａ〜１１ｃにトッププレート１０の温度状態を表示させる。よって、加熱調理器１００は、トッププレート１０の温度状態を使用者に瞬時に確認させることができるので、火傷などの事故を未然に防止することができ、安全に安心して使用することができる。
【００３９】
また、少なくとも１つの操作ユニット４及び５には、第２表示部４７が設けられている。制御部３は、加熱調理器１００の電源９のオン又はオフを第２表示部４７に表示させる。よって、加熱調理器１００は、加熱調理器１００の電源９がオンであるか、又はオフであるかを使用者に瞬時に確認させることができるので、安全に安心して使用することができ、使い勝手にも優れている。
【００４０】
実施の形態２．
次に、本発明の実施の形態２に係る加熱調理器１００を説明する。実施の形態２に係る加熱調理器１００の基本的な構成は、上記した実施の形態１の加熱調理器１００と同じである。実施の形態２に係る加熱調理器１００は、操作ユニット検知手段６の検知に基づいて、いずれかの操作ユニット４及び５が、調理台２００から引き出された状態から内部に収納されたと判断すると、加熱調理器１００の電源９をオンからオフに切り換える構成を特徴としている。
【００４１】
具体的には、キッチン側Ａの操作ユニット４と、リビング側Ｂの操作ユニット５とが共に調理台２００の内部から引き出された状態で、且つ加熱調理器１００の電源９がオンの状態において、どちらか一方の操作ユニット４又は５が調理台２００に収納されると、加熱調理器１００の電源９がオフになる。また、キッチン側Ａの操作ユニット４と、リビング側Ｂの操作ユニット５とが共に調理台２００の内部から引き出された状態で、且つ加熱調理器１００の電源９がオフの状態では、どちらか一方の操作ユニット４又は５が調理台２００に収納されても、加熱調理器１００の電源９はオフのままである。
【００４２】
一方、キッチン側Ａの操作ユニット４とリビング側Ｂの操作ユニット５のうち、どちらか一方が調理台２００の内部に収納され、他方が調理台２００から引き出された状態であり、且つ加熱調理器１００の電源９がオンの状態において、一方の操作ユニット４又は５が調理台２００の内部に収納されると、加熱調理器１００の電源９がオフになる。また、キッチン側Ａの操作ユニット４とリビング側Ｂの操作ユニット５のうち、どちらか一方が調理台２００の内部に収納され、他方が調理台２００から引き出された状態であり、且つ加熱調理器１００の電源９がオフの状態において、一方の操作ユニット４又は５が調理台２００の内部に収納されても、加熱調理器１００の電源９はオフのままである。
【００４３】
なお、実施の形態２に係る加熱調理器１００は、すべての操作ユニット４及び５が調理台２００から引き出された状態から内部に収納されたと判断すると、加熱調理器１００の電源９をオンからオフに切り換える構成としてもよい。また、実施の形態２に係る加熱調理器１００は、いずれかの操作ユニット４又は５が収納された状態で電源９がオン状態のとき、収納されている操作ユニット４又は５の表示を消灯させる構成としてもよい。
【００４４】
以上のように、実施の形態２に係る加熱調理器１００では、操作ユニット検知手段６の検知に基づいて、いずれかの操作ユニット４及び５が調理台２００から引き出された状態から内部に収納されたと判断すると、加熱調理器１００の電源９をオンからオフに切り換える。よって、加熱調理器１００は、使用者が調理を終了する際に、電源９をオフにする手間を省くことができ、操作に要する手数を減らすことができるので、使用者の操作負担を軽減することができ、快適に調理を行うことができる。
【００４５】
なお、上記した実施の形態２に係る加熱調理器１００と、上記した実施の形態１に係る加熱調理器１００とは、それぞれ独立した構成としてもよいし、両者を組み合わせた構成としてよい。
【００４６】
以上に本発明を実施の形態に基づいて説明したが、本発明は上述した実施の形態の構成に限定されるものではない。例えば、図示した加熱調理器１００の構成は、一例であって、上述した内容に限定されるものではなく、他の構成要素を含んでも同様に実施することができる。また、電源スイッチ８は、必ずしも必要ではなく、省略してもよい。また、操作ユニット４及び５は、図示した２つに限定されず、１つでもよいし、３つ以上設けてもよい。また、例えば操作ユニット４を構成する操作部４Ａ〜４Ｃをそれぞれ独立した構成とし、各操作部４Ａ〜４Ｃが調理台２００の内部に収納された状態から引き出され又は収納された場合に、加熱調理器１００の電源９を切り換える構成としてもよい。要するに、本発明は、その技術的思想を逸脱しない範囲において、当業者が通常に行う設計変更及び応用のバリエーションの範囲を含むものである。
【符号の説明】
【００４７】
１  本体ケース、２ａ、２ｂ、２ｃ  加熱部、３  制御部、４、５  操作ユニット、４Ａ、５Ａ  左操作部、４Ｂ、５Ｂ  中央操作部、４Ｃ、５Ｃ  右操作部、６  操作ユニット検知手段、７  温度検知手段、８  電源スイッチ、９  電源、１０  トッププレート、１０ａ、１０ｂ、１０ｃ  載置位置表示部、１１ａ、１１ｂ、１１ｃ  第１表示部、１２  冷却装置、１３  高周波インバータ回路、３０  制御基板、４０  タイマー設定ボタン、４１  火力設定ボタン、４２  メニューボタン、４３  加熱停止開始ボタン、４４  タイマー時間表示部、４５  火力表示部、４６  メニュー表示部、４７  第２表示部、４８  区画ライン、１００  加熱調理器、１０１  調理容器、２００  調理台、２０１  シンク、２０２  キッチン天面、Ａ  キッチン側、Ｂ  リビング側。
【図１】
2020009580.tif 000003
【図２】
2020009580.tif 000004
【図３】
2020009580.tif 000005
【図４】
2020009580.tif 000006
【図５】
2020009580.tif 000007
【図６】
2020009580.tif 000008
【図７】
2020009580.tif 000009